(57)【要約】【課題】省スペース化もしくは収納が容易な配線基板の電気接続構造、この配線基板の電気接続構造を備える液晶モジュールおよび表示装置を提供すること。【解決手段】液晶表示パネル２を駆動するドライバ３１１が実装された複数のＴＣＰ３１に電気信号および／または電力を分配する複数のプリント配線基板４１，４２どうしを、少なくとも一部が互いに重畳して配設される第一のＦＰＣ５１および第二のＦＰＣ５２によって電気的に接続する。【選択図】図２
2007134357.tif 000002
【特許請求の範囲】
【請求項１】
電気配線が設けられる複数の配線基板と、少なくとも一部が互いに重畳して配設されて前記複数の基板に設けられる電気配線どうしを電気的に接続する複数の電気的接続手段と、を備えることを特徴とする配線基板の電気接続構造。
【請求項２】
前記電気的接続手段と前記配線基板とが結合されるコネクタ部は、前記複数の配線基板どうしの相対向する辺の近傍に互いに略平行に近接して設けられることを特徴とする請求項１に記載の配線基板の電気接続構造。
【請求項３】
前記電気的接続手段は、ＦＰＣおよび／またはＦＦＣであることを特徴とする請求項１または請求項２に記載の配線基板の電気接続構造。
【請求項４】
液晶表示パネルと、該液晶表示パネルを駆動するドライバが実装された複数の回路基板と、該複数の回路基板に電気信号および／または電力を分配する複数の配線基板と、を備えるとともに、該複数の配線基板に設けられる電気配線どうしが請求項１から請求項３のいずれかに記載の配線基板の電気接続構造により電気的に接続されることを特徴とする液晶モジュール。
【請求項５】
請求項４に記載の液晶モジュールを備えることを特徴とする表示装置。
【発明の詳細な説明】
【技術分野】
【０００１】
本発明は、配線基板の電気接続構造、この配線基板の電気接続構造を備える液晶モジュールおよび表示装置に関するものであり、特に、液晶表示パネルに電気信号などを伝送する配線基板の電気接続に好適な配線基板の電気接続構造、この配線基板の電気接続構造を備える液晶モジュールおよび表示装置に関するものである。
【背景技術】
【０００２】
一般的な液晶表示パネルは、この液晶表示パネルを駆動するドライバＩＣなどが実装された回路基板や配線基板などが装着され、これらのドライバＩＣなどを制御するコントロール回路基板などとともに表示装置に組み込まれて用いられる。
【０００３】
図７は、液晶表示パネルに各種の回路基板や配線基板などが装着された組立体の従来の構成の一例を示した外観斜視図である。図７に示すこの組立体９は、液晶表示パネル９１と、この液晶表示パネル９１を駆動するドライバＩＣなどが実装された複数のＴＣＰ（Tape Carrier Package）９２，９３と、これらの各ＴＣＰ９２，９３や液晶表示パネル９１に各種の電気信号の伝送や電力の供給を行うプリント配線基板９４とを備える。そしてこの組立体９は、液晶表示パネル９１の周縁部の所定の位置に各ＴＣＰ９２，９３が装着され、さらに各ＴＣＰ９２がプリント配線基板９４に接続されるという構成を有する。
【０００４】
このプリント配線基板９４は、細長い形状、たとえば長方形などの形状に形成される。そして液晶表示パネル９１の周縁部に沿うように配設される。その表面や内部層には複数の電気配線が長手方向に沿って並列的に設けられる。そして一枚のプリント配線基板９４に対して複数のＴＣＰ９２が装着され、装着された各ＴＣＰ９２に対して所定の電気信号や電力を分配できるように構成される。
【０００５】
このプリント配線基板９４の長手方向寸法は、液晶表示パネル９１のサイズに応じて設定される。したがって、液晶表示パネル９１の大型化にともない、このプリント配線基板９４の長手方向寸法も大きくする必要がある。しかしながらこのようなプリント配線基板９４は、製造可能な最大寸法があらかじめ規定されていることがある。このためこの規定された寸法を超える大型のプリント配線基板９４の製造が困難となるか、または製造コストが大幅に上昇することがある。
【０００６】
また、このプリント配線基板９４の長手方向寸法が大きくなると、各ＴＣＰ９２との装着位置の位置合わせ精度の確保が困難となることがある。すなわち、プリント配線基板９２の長手方向寸法が大きくなると、温度変化による変形量も大きくなる。したがって、プリント配線基板９４と各ＴＣＰ９２の接続位置の位置合わせにおいて、各ＴＣＰ９２を所定の精度で所定の位置に装着することが困難となる。
【０００７】
このような理由により、液晶表示パネル９１のサイズが大きい場合には、複数のプリント配線基板９４を用い、各プリント配線基板９４に設けられる電気配線どうしをＦＰＣ（Flexible Print Circuit）９５やＦＦＣ（Flexible Flat Cable）によって電気的に接続するという構成が用いられる。このような構成によれば、プリント配線基板９４の長手方向寸法を大きくする必要がなくなるから、プリント配線基板９４の製造コストの上昇を抑制でき、また、各ＴＣＰ９２の装着位置の位置合わせ精度の確保も容易となる。
【０００８】
【特許文献１】特開平４−２９５６８４号公報
【特許文献２】特開２００２−９６７３号公報
【発明の開示】
【発明が解決しようとする課題】
【０００９】
しかしながら、このようなプリント配線基板に設けられる電気配線どうしをＦＰＣやＦＦＣなどを用いて電気的に接続しようとすると、次のような問題が生じる。
【００１０】
プリント配線基板には、前記の通りその表面や内部層に多数の電気配線が設けられる。このため、これらの電気配線どうしを接続するＦＰＣやＦＦＣ、またはＦＰＣやＦＦＣなどとプリント配線基板とを接続するためのコネクタが大型化する。特に、プリント配線基板が複層構造を有し、その各層に電気配線が設けられる構成であると、これらの電気配線どうしを接続するＦＰＣ、ＦＦＣやコネクタの横幅寸法が、プリント配線基板の横幅寸法を超えて大きくなる場合がある。
【００１１】
そしてこのような組立体が表示装置などに組み込まれる場合、このＦＰＣやＦＦＣが表示装置に設けられるプリント配線基板を収納するスペースからはみ出すことになる。このためたとえば、このＦＰＣやＦＦＣを折り畳んだり固定したりしてプリント配線基板の収納スペースに収めるなどといったＦＰＣやＦＦＣの固定や収納作業を別途行う必要がある。このように、表示装置の組み立て作業に手間を要することになる。また、はみ出したＦＰＣやＦＦＣなどが他の作業の障碍となることもある。
【００１２】
上記実情に鑑み本発明が解決しようとする課題は、省スペース化もしくは収納が容易な配線基板の電気接続構造、この配線基板の電気接続構造を備える液晶モジュールおよび表示装置を提供すること、または表示装置などの組み付け工程における作業の省力化を図ることができる配線基板の電気接続構造、この配線基板の電気接続構造を備える液晶モジュールおよび表示装置を提供することである。
【課題を解決するための手段】
【００１３】
前記課題を解決するため、本発明の配線基板の電気接続構造は、電気配線が設けられる複数の配線基板と、少なくとも一部が互いに重畳して配設されて前記複数の基板どうしを電気的に接続する複数の電気的接続手段と、を備えることを要旨とする。
【００１４】
ここで、前記電気的接続手段と前記配線基板とが結合されるコネクタ部は、前記複数の基板どうしの相対向する辺の近傍に、互いに略平行に近接して設けられることが好ましい。
【００１５】
前記電気的接続手段には、ＦＰＣ（Flexible Print Circuit）および／またはＦＦＣ（Flexible Flat Cable）を適用することができる。
【００１６】
そして本発明に係る液晶モジュールは、液晶表示パネルと、該液晶表示パネルを駆動するドライバが実装された複数の回路基板と、該複数の回路基板に電気信号および／または電力を分配する複数の配線基板と、を備えるとともに、該複数の配線基板どうしが前記配線基板の電気接続構造により接続されることを要旨とする。
【００１７】
また、本発明に係る表示装置は、前記液晶モジュールを備えることを要旨とする。
【発明の効果】
【００１８】
配線基板どうしを電気的に接続する複数の電気的接続手段を用い、かつそれらを少なくとも一部が互いに重畳させて配置することにより、配線基板どうしの接続構造の小型化を図ることができる。そして、小型化を図ることにより、この接続構造を所定のスペース、たとえば配線基板を収納スペースなどに収納しやすくなる。また、収納に際してこれらの電気接続手段を折り畳んだり固定したりする必要がなくなるから、作業の省力化を図ることができる。
【００１９】
そして、このような液晶モジュールを備える表示装置においては、各プリント配線基板を接続する複数の電気的接続手段が、各プリント配線基板を収納するスペースからはみ出すことなく収納される。そして、これら電気的接続手段を収納する際に、折りまげたり固定したりする必要がない。このため、表示装置の組み付け工程の労力を削減することができるとともに、これら電気的接続手段が他の作業の障碍となることを防止できる。
【発明を実施するための最良の形態】
【００２０】
以下に、本発明の実施形態について、図面を参照して詳細に説明する。図１は、本発明の実施形態に係る配線基板の電気接続構造を備える液晶モジュールの構成を示した平面模式図である。本明細書において「液晶モジュール」とは、液晶表示パネルにこの液晶表示パネルを駆動する回路基板や配線基板が装着された組立体をいうものとする。
【００２１】
図１に示すように本発明の実施形態に係る配線基板の電気接続構造を備える液晶モジュール１は、液晶表示パネル２と、複数のＴＣＰ（Tape Carrier Package）３１，３２と、複数のプリント配線基板４１，４２とを備える。本実施形態に係る液晶モジュールは、二枚のプリント配線基板を備えるものとする。
【００２２】
本液晶モジュールの液晶表示パネル２には、従来一般のアクティブマトリックスタイプの液晶表示パネルなど、公知の各種液晶表示パネルが適用できる。したがってこの液晶表示パネルの構造や動作についての説明は省略する。
【００２３】
この液晶表示パネル２の相対向する長辺の一方および相対向する短辺の一方には、それぞれ複数のＴＣＰ３１，３２が所定の位置に装着される。液晶表示パネル２の長辺に装着される各ＴＣＰ３１には、液晶表示パネル２のソースバスラインを駆動するソースドライバ３１１などが実装される。一方、液晶表示パネル２の短辺に装着されるＴＣＰ３２には、液晶表示パネルのゲートバスラインを駆動するゲートドライバ３２１などが実装される。
【００２４】
そして液晶表示パネル２の長辺に装着される各ＴＣＰ３１には、さらにプリント配線基板４１，４２が装着される。図１に示すように、これらのプリント配線基板４１，４２は、長方形などの細長い形状に形成される。これらのプリント配線基板４１，４２の表面や内部層には、各種の電気信号の伝送や電力の供給を行う複数の電気配線が、その長手方向に沿って並列的に設けられる。
【００２５】
一方のプリント配線基板４１は、外部の所定の回路基板、たとえば液晶モジュールを制御するコントロール回路基板などと接続されており、プリント配線基板４１に設けられる電気配線は、外部から各種電気信号の伝送や電力の供給を受けることができる。そして、これらのプリント配線基板４１，４２は互いに電気的に接続されており、他方のプリント配線基板４２の電気配線は、前記一方のプリント配線基板４１を通じて、各種電気信号の伝送や電力の供給などを受けることができる。これらのプリント配線基板４１，４２どうしの電気的な接続の構成については後述する。
【００２６】
これらの電気配線には、各ＴＣＰ３１のソースドライバ３１１を制御する信号を伝送するソース信号配線４１１，４２１、ソースドライバ３１１に電力を供給するソースドライバ電力配線４１２，４２２、液晶表示パネル２に共通電圧を印加する共通電圧線４１３，４２３、各ＴＣＰ３２のゲートドライバ３２１を制御する信号を伝送するゲート信号配線４１４，４２４、ゲートドライバ３２１に電力を供給するゲートドライバ電力配線４１５，４２５、液晶表示パネルの補助容量バスラインに補助容量を供給する補助容量供給線４１６，４２６、およびこれらの予備配線（図略）が含まれる。
【００２７】
そして各プリント配線基板４１，４２は、それぞれに装着される各ＴＣＰ３１や液晶表示パネル２に対して、前記各種信号、電力および共通電圧を分配できるように構成される。具体的な電気信号や電力などの分配の態様は次の通りである。
【００２８】
各プリント配線基板４１，４２は、前記ソース信号配線４１１，４２１とソースドライバ電力配線４１２，４２２を通じて、それぞれに装着される各ＴＣＰ３１のソースドライバに対し、ソースドライバ３１１を制御する信号と作動のための電力を分配する。そして各ＴＣＰ３１のソースドライバ３１１は、分配された電気信号に基づいて液晶表示パネル２のソースバスラインを駆動する。また、各プリント配線基板４１，４２は、共通電圧線４１３，４２３および各ＴＣＰ３１を通じて、液晶表示パネル２に対して共通電圧を印加する。
【００２９】
また、プリント配線基板４２は、ゲート信号配線４１４，４２４、ゲート電力線４１５，４２５および特定のＴＣＰを通じて、液晶表示パネル２の短辺に装着される各ＴＣＰ３２のゲートドライバ３２１に対して、ゲートドライバ３２１を制御する電気信号や電力を供給することができる。そして各ゲートドライバ３２１は、分配された前記電気信号に基づいて、液晶表示パネル２のゲートバスラインを駆動する。また、同様に補助容量配線４１６、４２６を通じて液晶表示パネル２の補助容量バスラインに補助容量を供給できる。
【００３０】
各プリント配線基板４１，４２に設けられる各電気配線どうしは、各プリント配線基板４１，４２の間に架設されるＦＰＣによって電気的に接続される。本実施形態は、各電気配線どうしが第一のＦＰＣ５１と第二のＦＰＣ５２の二枚のＦＰＣによって電気的に接続される構成を備える。各ソースドライバ３１１を制御する信号を伝送するソース信号配線４１１，４２１どうし、および各ソースドライバ３１１に電力を供給するソースドライバ電力配線４１２，４２２どうしが第一のＦＰＣ５１によって接続される。また、これら以外の電気配線は第二のＦＰＣ５２によって接続される。
【００３１】
図２は、本液晶モジュール１から、プリント配線基板４１，４２どうしの接続部分を抜き出して模式的に示した部分断面図である。
【００３２】
図２に示すように、各プリント配線基板４１，４２は複層構造を有しており、内部層および一方の表面（図２においては下側の面）には、前記各電気配線４１１〜４１６，４２１〜４２６が設けられる。そして各プリント配線基板４１，４２どうしの相対向する辺の近傍には、それぞれ第一のＦＰＣコネクタ４１７，４２７と第二のＦＰＣコネクタ４１８，４２８とが設けられる。具体的には、第一のＦＰＣコネクタ４１７，４２７と第二のＦＰＣコネクタ４１８，４２８とが、各プリント配線基板４１，４２どうしの相対向する辺に平行にかつ近接して設けられる。これらの第一のＦＰＣコネクタ４１７，４２７と第二のＦＰＣコネクタ４１８，４２８には、公知の各種ＦＰＣコネクタが適用できる。したがってこれらＦＰＣコネクタの詳細な説明は省略する。
【００３３】
各プリント配線基板４１，４２の第一のＦＰＣコネクタ４１７，４２７どうしが第一のＦＰＣ５１によって電気的に接続され、第二のＦＰＣコネクタ４１８，４２８どうしが第二のＦＰＣ５２によって接続される。これにより、各プリント配線基板４１，４２に設けられる各電気配線４１１〜４１６，４２１〜４２６どうしが電気的に接続される。
【００３４】
これら第一のＦＰＣ５１と第二のＦＰＣ５２とは、少なくともその一部が互いに重畳するように架設される。
【００３５】
このような構成によれば、各プリント配線基板４１，４２をそれらの面方向に直角な方向から見た場合、第一のＦＰＣ５１と第二のＦＰＣ５２が、各プリント配線基板４１，４２の長手方向の辺またはその延長線Ａから外側にはみ出さないか、またははみだしを少なくすることができる。
【００３６】
このため、このような配線基板の電気接続構造を備える液晶モジュールを表示装置などに組み込む場合、これら第一のＦＰＣ５１および第二のＦＰＣ５２が、プリント配線基板４１，４２を収納するスペースからはみ出さないように収納できる。したがって、これらのＦＰＣ５１，５２を収納するために折り畳んだり、固定したりするという作業を行う必要がなくなり、各ＦＰＣ５１，５２や、これらにより接続された各プリント配線基板４１，４２の取り扱いが容易となる。
【００３７】
また、第一のＦＰＣ５１および第二のＦＰＣ５２自体も小型のものが適用できるから、液晶モジュールの製造コストの低廉化を図ることができる。
【００３８】
次に、本液晶モジュールが組み込まれる表示装置およびテレビ受信機について説明する。
【００３９】
図３は、本実施形態に係る液晶モジュールが組み込まれる表示装置の構成を模式的に示した分解斜視図である。以下説明の便宜上、図３中の上側を表示装置の「前面側」と称し、下側を「背面側」と称する。
【００４０】
この表示装置７は、本実施形態に係る液晶モジュール１と、シャーシ７１と、光源ランプ７２と、反射シート７３と、光学シート類７４と、サイドホルダ７５と、フレーム７６と、ベゼル７７と、光源駆動回路基板７８と、コントロール回路基板７９とを備える。
【００４１】
これらの各部材について簡単に説明する。シャーシ７１は略四辺形の板状の部材であり、たとえば金属の板材などによりプレス加工などを用いて一体に形成される。
【００４２】
光源ランプ７２は、熱陰極管や冷陰極管などの蛍光管、ＬＥＤ、その他の各種光源またはこれらの組み合わせが適用できる。図３においては直線状に形成される複数の蛍光管が適用される構成を示す。
【００４３】
反射シート７３は、光源ランプ７２が発した光を乱反射させるシート状または板状の部材である。この反射シート７３は、たとえば発泡ＰＥＴ（ポリエチレンテレフタレート）などにより形成される。
【００４４】
光学シート類７４は、ここでは、光源ランプ７２が発した光の特性を調整するための板状もしくはシート状の部材またはこれらの集合をいう。具体的に光学シート類７４には、拡散板、レンズシート、偏光反射シートなどが含まれる。そして一般的にはこれらが積み重ねられて用いられる。
【００４５】
サイドホルダ７５は、光学シート類７４を載置するためのスペーサなどとして機能する略棒状の部材である。このサイドホルダ７５は、たとえば樹脂材料などにより一体に形成される。
【００４６】
フレーム７６は、光源ランプ７２や光学シート類７４などの部材をシャーシ７１に保持するための部材である。ベゼル７７は、液晶モジュール１などをフレーム７６に保持するなどの機能を有する部材である。このフレーム７６およびベゼル７７は、たとえば金属の板材などによりプレス加工などを用いて開口した略四辺形に形成される。
【００４７】
光源駆動回路基板７８は、光源ランプ７２を駆動するための電子回路や電気回路が構築された回路基板である。コントロール回路基板７９は、液晶表示パネルを制御する各種信号を生成する回路基板である。
【００４８】
なお、液晶モジュール１を除くこれらの各部材７１〜７９は、従来一般のものが適用できることから、詳細な説明は省略する。
【００４９】
このような部材を備える表示装置７の組み付けは次の通りである。シャーシ７１の前面側に反射シート７３が布設され、その前面側に光源ランプ７２が配置される。この状態でサイドホルダ７５がシャーシ７１の短辺の周縁部に装着される。そして光学シート類７４がシャーシ７１とサイドホルダ７５の前面側に配置され、さらにその前面側にフレーム７６が装着される。
【００５０】
フレーム７６の前面側には液晶モジュール１が配置される。そしてその前面側にベゼル７７が装着される。
【００５１】
一方、シャーシ７１の背面側には、光源駆動回路基板７８およびコントロール回路基板７９が装着され、さらに光源駆動回路基板カバー７８１とコントロール回路基板カバー７９１とが各回路基板７８，７９を覆うように装着される。
【００５２】
図４は、前記実施形態に係る液晶モジュールが組み込まれたテレビ受信機の構成の一例を示した分解斜視図である。このテレビ受信機８は、表示装置７と、チューナ基板８１と、拡声手段８２と、電源基板８３と、キャビネット８４と、支持台８５を備える。
【００５３】
チューナ基板８１は、受信した電波や外部から入力された信号に基づいて所定のチャンネルの映像信号と音声信号を生成する。チューナ基板８１には、従来一般の地上波（アナログ、デジタルのいずれかまたは双方）チューナ、ＢＳチューナ、ＣＳチューナなどが適用できる。
【００５４】
拡声手段８２は、チューナ基板８１により生成された音声信号に基づいて音声を発する。この拡声手段８２には、一般的なスピーカなどの従来一般の拡声手段が適用できる。
【００５５】
表示装置７は、チューナ基板８１により生成された映像信号に基づいて映像を表示する。この表示装置７には本実施形態に係る液晶モジュールが組み込まれた表示装置が適用される。電源基板８３は、これらチューナ基板８１、拡声手段８２、表示装置７に対して電力を供給する。
【００５６】
そして図４に示すように、これら表示装置７、チューナ基板８１、拡声手段８２、電源基板８３がキャビネット８４に収納され、支持台８５により支持される。図４においては、キャビネット８４は表側キャビネット８４１と裏側キャビネット８４２を備える構成を示す。
【００５７】
以上、本発明の実施形態について、図面を参照して詳細に説明したが、本発明は前記実施形態に何ら限定されるものではなく、本発明の趣旨を逸脱しない範囲において種々の改変が可能であることはいうまでもない。
【００５８】
ここで、本発明の実施形態に係る配線基板の電気接続構造の変形例を示す。
【００５９】
図５は、第一の変形例を示した外観斜視図であり、前記実施形態の図２に相当する図である。この第一の変形例においては、第一のＦＰＣコネクタ４１７’，４２７’と第二のＦＰＣコネクタ４１８’，４２８’とが、各プリント配線基板４１，４２の相対向する辺の近傍に、長手方向の辺に沿って直列的に配列される。
【００６０】
第一のＦＰＣコネクタ４１７’，４２７’どうしと第二のＦＰＣコネクタ４１８’，４２８’どうしとが、それぞれ第一のＦＰＣ５１’と第二のＦＰＣ５２’によってそれぞれ電気的に接続される。
【００６１】
これら第一のＦＰＣ５１’および第二のＦＰＣ５２’は、両端近傍が同じ向きに向かって略直角に折れ曲がる形状を有する。そして、これら第一のＦＰＣ５１’および第二のＦＰＣ５２’とが、各プリント配線基板の長手方向の辺またはその延長線Ａからはみ出さないように、またははみだしが少なくなるように、それぞれ少なくとも一部が互いに重畳して架設される。
【００６２】
図６は、第二の変形例を示した外観斜視図であり、前記実施形態の図２に相当する図である。この第二の変形例においては、各第一のコネクタ４１７”，４２７”が、各プリント配線基板４１，４２どうしの相対向する辺の近傍に当該辺に略平行に設けられる。また、各第二のＦＰＣコネクタ４１８”，４２８”は、各プリント配線基板４１，４２の相対向する辺の近傍に、長手方向の辺に略平行に設けられる。
【００６３】
第一のＦＰＣコネクタ４１７”，４２７”どうしと第二のＦＰＣコネクタ４１８”，４２８”どうしとが、それぞれ第一のＦＰＣ５１”と第二のＦＰＣ５２”によってそれぞれ電気的に接続される。第一のＦＰＣ５１”は前記実施形態と同様に単純な直線形状を有し、第二のＦＰＣ５２”は、両端近傍が同じ向きに向かって略直角に折れ曲がる形状を有する。そして、これら第一のＦＰＣ５１”および第二のＦＰＣ５２”とが、各プリント配線基板の長手方向の辺またはその延長線Ａからはみ出さないように、またははみだしが少なくなるように、それぞれ少なくとも一部が互いに重畳して架設される。
【００６４】
これら第一または第二の変形例によっても、前記実施形態と同様の作用効果を奏することができる。
【００６５】
なお、前記実施形態および各変形例においては、それぞれ二枚のＦＰＣによって電気的な接続が構成される例を示したが、ＦＰＣの枚数は二枚に限定されるものではなく、三枚以上であってもよい。そして三枚以上のＦＰＣを用いて電気的な接続を構成する場合には、各ＦＰＣを各プリント配線に接続するための各ＦＰＣコネクタは、前記実施形態のように、各プリント配線基板の相対向するの辺の近傍に当該辺に平行に設ける構成、各プリント配線基板の相対向するの辺の近傍に、長手方向の辺に沿って設けられる構成であればよい。
【００６６】
また、前記実施形態および各変形例においては、各ＦＰＣコネクタがプリント配線基板の同じ側の面に設けられる構成を示したが、プリント配線基板の両側の面に設けられる構成であってもよい。
【００６７】
要は、各プリント配線基板に各電気配線を複数のＦＰＣを用いて電気的に接続し、これらのＦＰＣが、各プリント配線基板の長手方向の辺、またはその延長線からはみ出さないように、またははみだしが少なくなるように架設する構成であればよい。そしてこのためには、各ＦＰＣが少なくともその一部が互いに重畳するように架設される構成であればよい。
【００６８】
また、前記実施形態においては、各プリント配線基板に設けられる各種電気配線どうしの電気的接続手段としてＦＰＣを用いる構成を示したが、ＦＦＣを用いても良く、また、ＦＰＣとＦＦＣを併用してもよい。この場合には、前記実施形態および各変形例の説明において「ＦＰＣ」を「ＦＦＣ」または「ＦＰＣまたはＦＦＣ」に、「ＦＰＣコネクタ」を「ＦＦＣコネクタ」または「ＦＰＣコネクタまたはＦＦＣコネクタ」に読み替えればよい。これらＦＦＣおよびＦＦＣコネクタも、公知の各種ＦＦＣおよびＦＦＣコネクタが適用できる。電気的接続手段としてＦＦＣを用い、プリント配線基板にＦＦＣコネクタを設ける構成であっても、前記実施形態と同様の作用効果を奏することができる。
【００６９】
また、各ＦＰＣと各プリント配線基板の接続は、前記実施形態のようなＦＰＣコネクタを用いる構成に限定されるものではない。要は、ＦＰＣと各プリント配線基板に設けられる電気配線とを電気的に接続できるものであれば、方法や用いる部材は限定されるものではない。たとえばハンダ付けなどを用いてもよい。
【図面の簡単な説明】
【００７０】
【図１】本発明の実施形態に係る配線基板の電気接続構造を備える液晶モジュールの構成を示した平面模式図である。
【図２】本発明の実施形態に係る配線基板の電気接続構造を抜き出して示した外観斜視図である。
【図３】本発明の実施形態に係る配線基板の電気接続構造を備える液晶モジュールが組み込まれた表示装置の構成を模式的に示した分解斜視図である。
【図４】前記液晶モジュールが組み込まれたテレビ受信機の構成を模式的に示した分解斜視図である。
【図５】本発明の実施形態に係る配線基板の電気接続構造の第一の変形例を示した外観斜視図である。
【図６】本発明の実施形態に係る配線基板の電気接続構造の第二の変形例を示した外観斜視図である。
【図７】従来の液晶表示パネルと各種回路基板や配線基板との組立体の構成の一例を示した外観斜視図である。
【符号の説明】
【００７１】
１  液晶モジュール
２  液晶表示パネル
３１，３２  ＴＣＰ
４１，４２  プリント配線基板
５１  第一のＦＰＣ
５２  第二のＦＰＣ
４１７，４２７  第一のＦＰＣコネクタ
４１８，４２８  第二のＦＰＣコネクタ
４１１〜４１６  電気配線
【図１】
2007134357.tif 000003
【図２】
2007134357.tif 000004
【図３】
2007134357.tif 000005
【図４】
2007134357.tif 000006
【図５】
2007134357.tif 000007
【図６】
2007134357.tif 000008
【図７】
2007134357.tif 000009